(57)【要約】  セキュリティドキュメント（２００）は、セキュア基板（２０５）を含む。セキュア基板は、視認側（２０９）及び背面側（２１１）、ならびに視認側上で光学的可変効果（ＯＶＥ）（５１３）をもたらすマイクロ光学システム（３０５、３２１）を含む。セキュリティドキュメントは更に、保護層（２２５）、及びセキュア基板の保護層と背面側との間に配置されたマスク層（２１５）を含む。【選択図】図２
2022500688.tif 000002
【特許請求の範囲】
【請求項１】
視認側（２０９）及び背面側（２１１）を含むセキュア基板（２０５）、ならびに前記視認側上で光学的可変効果（ＯＶＥ）をもたらすマイクロ光学システム（３０５、３２１）と、
保護層（２２５）と、
前記セキュア基板の前記保護層と前記背面側との間に配置されたマスク層（２１５）と、
を備えた、セキュリティドキュメント（２００）。
【請求項２】
前記保護層は、第２のセキュア基板（４６５）を含む、請求項１に記載のセキュリティドキュメント。
【請求項３】
前記マスク層は、不透明材料の層を含む、請求項１に記載のセキュリティドキュメント。
【請求項４】
前記マスク層は、反射材料の層を含む、請求項１に記載のセキュリティドキュメント。
【請求項５】
前記マスク層は、ウインドウ（２１７）を含む、請求項１に記載のセキュリティドキュメント。
【請求項６】
真正の光学印（２４７）を含むパッチ（２４５）を更に備え、
前記パッチは、前記マスク層の前記ウインドウを通じて視認可能である、
請求項５に記載のセキュリティドキュメント。
【請求項７】
前記パッチによって設けられた真正の前記光学印は、透かし、オフセット印刷模様、凹版印刷模様、または光学セキュリティ素子のうちの少なくとも１つを含む、請求項６に記載のセキュリティドキュメント。
【請求項８】
前記セキュア基板の前記視認側上に配置された触知機構（４４５、４５５、４６０）を更に備えた、請求項１に記載のセキュリティドキュメント。
【請求項９】
前記触知機構（４４５）は、前記セキュア基板の前記視認側上に印刷された材料を含む、請求項８に記載のセキュリティドキュメント。
【請求項１０】
前記触知機構は、前記セキュア基板の前記視認側上で凹版印刷を含む、請求項９に記載のセキュリティドキュメント。
【請求項１１】
前記セキュア基板は、
集束素子の層（４０９）と、
画像アイコンの層（４１３）と、
光学スペーサ（４１５）と、を備え、
前記集束素子の層は、前記光学スペーサの第１の側面上に配置され、
前記画像アイコンの層は、前記集束素子の層の集束素子の焦点に近接して配置された画像アイコンを含む、
請求項１に記載のセキュリティドキュメント。
【請求項１２】
前記集束素子の層は、屈折集束素子を含む、請求項１１に記載のセキュリティドキュメント。
【請求項１３】
前記集束素子の層は、反射集束素子を含む、請求項１１に記載のセキュリティドキュメント。
【請求項１４】
前記画像アイコンの層は、前記光学スペーサの第２の側面上に配置される、請求項１１に記載のセキュリティドキュメント。
【請求項１５】
前記光学スペーサは、前記集束素子の層と一体である、請求項１１に記載のセキュリティドキュメント。
【請求項１６】
前記画像アイコンの層は、前記集束素子の層と一体である、請求項１１に記載のセキュリティドキュメント。
【請求項１７】
前記画像アイコンの層の画像アイコンは、前記集束素子の層の集束素子内のレリーフ構造として設けられる、請求項１６に記載のセキュリティドキュメント。
【請求項１８】
前記セキュア基板の前記視認側上に配置された密閉層（４５０）を更に備えた、請求項１１に記載のセキュリティドキュメント。
【請求項１９】
前記密閉層の厚みにおける変動として設けられた触知機構（４６０）を更に備えた、請求項１８に記載のセキュリティドキュメント。
【請求項２０】
前記光学スペーサは、透明ポリマのシートを含む、請求項１１に記載のセキュリティドキュメント。
【請求項２１】
前記透明ポリマは、ポリエチレンテレフタレート（ＰＥＴ）、二軸配向ポリプロピレン、ポリカーボネート、ポリエステル、ポリプロピレン、またはポリ塩化ビニル（ＰＶＣ）のうちの少なくとも１つを含む、請求項２０に記載のセキュリティドキュメント。
【請求項２２】
前記ＯＶＥは、モアレ拡大効果を含む、請求項１に記載のセキュリティドキュメント。
【請求項２３】
前記セキュア基板は、総透明度を示す領域を含み、前記総透明度は、前記セキュア基板の背面側の上または下に配置された静的機構が、前記セキュア基板の前記視認側を通じて視認可能であることを可能にする、請求項１に記載のセキュリティドキュメント。
【請求項２４】
前記セキュア基板の前記背面側上に印刷された静的機構を更に備えた、請求項２３に記載のセキュリティドキュメント。
【請求項２５】
前記マスク層内で色における変動として設けられた静的機構を更に備えた、請求項２３に記載のセキュリティドキュメント。
【請求項２６】
前記マスク層及び前記保護層は、前記セキュア基板の前記背面側に結合された材料の単層として設けられる、請求項１に記載のセキュリティドキュメント。
【請求項２７】
機械可読セキュリティ機構（４７３）を更に備えた、請求項１に記載のセキュリティドキュメント。
【請求項２８】
触知機構を更に備え、
前記触知機構は、前記マスク層内のウインドウ、パッチ、印刷層の機構、または前記ＯＶＥのうちの１つ以上により記録されている、請求項１に記載のセキュリティドキュメント。
【発明の詳細な説明】
【技術分野】
【０００１】
本開示は概して、偽造紙幣の製造に対して複製が困難なセキュリティ機構（例えば、マイクロ光学機構）を取り入れることに対する著しく強化された耐性をもたらす、セキュリティドキュメント（例えば、銀行券）に関する。
【発明の概要】
【０００２】
本開示は、完全マイクロ光学セキュリティドキュメントを提供する。
【０００３】
第１の実施形態では、セキュリティドキュメントは、セキュア基板を含み、セキュア基板は、視認側及び背面側を有し、マイクロ光学システムは、視認側上で光学的可変効果（ＯＶＥ）をもたらす。セキュリティドキュメントはまた、保護層、及びセキュア基板の保護層と背面側との間に配置されたマスク層を含む。
【０００４】
他の技術的な特徴が以下の図面、説明、及び請求項から当業者にとって明らかになり得る。
【０００５】
他の特定の単語及びフレーズに対する定義は、この特許明細書の全体を通じて提供される。当業者は、ほとんどではないが多くの例では、そのような定義がそのような定義された単語及びフレーズの前の使用と共に後の使用に適用されることを理解するはずである。
【０００６】
本開示及びその利点の更なる完全な理解のために、添付図面と併用して以下の説明への参照がここで行われる。
【図面の簡単な説明】
【０００７】
【図１】背景技術によって、本開示に従った特定の実施形態によって対処される少なくとも１つの技術的課題を示す。
【図２】本開示の様々な実施形態に従った、セキュリティドキュメントの実施例を示す。
【図３】本開示の特定の実施形態に従った、セキュア基板の実施例を示す。
【図４Ａ】本開示のいくつかの実施形態に従った、セキュリティドキュメントの実施例を示す。
【図４Ｂ】本開示のいくつかの実施形態に従った、セキュリティドキュメントの実施例を示す。
【図４Ｃ】本開示のいくつかの実施形態に従った、セキュリティドキュメントの実施例を示す。
【図４Ｄ】本開示のいくつかの実施形態に従った、セキュリティドキュメントの実施例を示す。
【図４Ｅ】本開示のいくつかの実施形態に従った、セキュリティドキュメントの実施例を示す。
【図４Ｆ】本開示のいくつかの実施形態に従った、セキュリティドキュメントの実施例を示す。
【図４Ｇ】本開示のいくつかの実施形態に従った、セキュリティドキュメントの実施例を示す。
【図４Ｈ】本開示のいくつかの実施形態に従った、セキュリティドキュメントの実施例を示す。
【図５】本開示の少なくとも一実施形態に従った、セキュリティドキュメントの実施例を示す。
【発明を実施するための形態】
【０００８】
以下の発明を実施するための形態に着手する前に、この特許明細書の全体を通じて使用される特定の単語及びフレーズの定義を示すことが利点となる場合がある。用語「結合する（ｃｏｕｐｌｅ）」及びその派生語は、２つ以上の要素が相互に物理的に接触しているかどうかに関わらず、それらの要素の間のいずれかの直接または間接通信または対話を指す。用語「送信する（ｔｒａｎｓｍｉｔ）」、「受信する（ｒｅｃｅｉｖｅ）」、及び「通信する（ｃｏｍｍｕｎｉｃａｔｅ）」と共に、それらの派生語は、直接通信及び間接通信の両方を包含する。用語「を含む（ｉｎｃｌｕｄｅ）」及び「を備える（ｃｏｍｐｒｉｓｅ）」と共に、それらの派生語は、限定なしの包含を意味する。用語「または（ｏｒ）」は、両立的であり、及び／または（ａｎｄ／ｏｒ）を意味する。フレーズ「と関連付けられた（ａｓｓｏｃｉａｔｅｄ  ｗｉｔｈ）」と共に、その派生語は、を含む（ｉｎｃｌｕｄｅ）、に含まれる（ｂｅ  ｉｎｃｌｕｄｅｄ  ｗｉｔｈｉｎ）、と相互接続する（ｉｎｔｅｒｃｏｎｎｅｃｔ  ｗｉｔｈ）、を包含する（ｃｏｎｔａｉｎ）、に包含される（ｂｅ  ｃｏｎｔａｉｎｅｄ  ｗｉｔｈｉｎ）、に接続されるもしくはと接続される（ｃｏｎｎｅｃｔ  ｔｏ  ｏｒ  ｗｉｔｈ）、に結合するもしくはに結合させる（ｃｏｕｐｌｅ  ｔｏ  ｏｒ  ｗｉｔｈ）、と通信可能である（ｂｅ  ｃｏｍｍｕｎｉｃａｂｌｅ  ｗｉｔｈ）、と協働する（ｃｏｏｐｅｒａｔｅ  ｗｉｔｈ）、交互配置する（ｉｎｔｅｒｌｅａｖｅ）、を並置する（ｊｕｘｔａｐｏｓｅ）、に近接する（ｂｅ  ｐｒｏｘｉｍａｔｅ  ｔｏ）、に結びつけられるもしくはと結びつけられた（ｂｅ  ｂｏｕｎｄ  ｔｏ  ｏｒ  ｗｉｔｈ）、を有する（ｈａｖｅ）、の性質を有する（ｈａｖｅ  ａ  ｐｒｏｐｅｒｔｙ  ｏｆ）、またはへの関係もしくはとの関係を有する（ｈａｖｅ  ａ  ｒｅｌａｔｉｏｎｓｈｉｐ  ｏｒ  ｗｉｔｈ）などを意味する。用語「コントローラ」は、少なくとも１つの動作を制御するいずれかのデバイス、システム、またはそれらの一部を意味する。そのようなコントローラは、ハードウェア、またはハードウェアならびにソフトウェア及び／またはファームウェアの組み合わせにおいて実装されてもよい。いずれかの特定のコントローラと関連付けられた機能性は、ローカルまたはリモートであるかどうかに関わらず、集中化または分散されてもよい。フレーズ「の少なくとも１つ（ａｔ  ｌｅａｓｔ  ｏｎｅ  ｏｆ）」は、項目のリストと共に使用されるとき、リスト化された項目のうちの１つ以上の異なる組み合わせが使用されてもよいこと、及びリスト内の１つの項目のみが必要とされてもよいことを意味する。例えば、「Ａ、Ｂ、及びＣのうちの少なくとも１つ（ａｔ  ｌｅａｓｔ  ｏｎｅ  ｏｆ：Ａ，Ｂ，ａｎｄ  Ｃ）」は、Ａ、Ｂ、Ｃ、Ａ及びＢ、Ａ及びＣ、Ｂ及びＣ、ならびにＡ及びＢ及びＣの組み合わせのいずれかを含む。
【０００９】
他の特定の用語及びフレーズに対する定義は、この特許明細書の全体を通じて提供される。当業者は、ほとんどではないが多くの例では、そのような定義がそのような定義された単語及びフレーズの前の使用と共に後の使用に適用されることを理解するはずである。
【００１０】
この特許明細書において本開示の原理を説明するために使用される以下で及び様々な実施形態において議論される図１〜５は、例示としてのみであり、開示の範囲を何ら限定すると解釈されるべきではない。当業者は、本開示の原理が、いずれかの適切に配置された支払装置において実装されてもよいことを理解するであろう。
【００１１】
背景技術、及び本開示に従った特定の実施形態によって対処される少なくとも１つの技術的課題の提示により、図１は、それによって、１つの真正セキュリティドキュメント１０５（この実施例では、銀行券）のセキュリティ機構を取り入れることができ、悪意のある人物へのサービス可能な品質の２つの偽造セキュリティドキュメントを製造するために使用することができる機構の実施例１００を示す。
【００１２】
図１の実施例を参照して、セキュリティドキュメント１０５の実施例が提供される。図に示されるように、セキュリティドキュメント１０５は、複数の構造的機構を組み込んだ基板１０７を含み、複数の構造的機構は、セキュリティドキュメント１０５の真正の可視の印及び不可視の印を設けている。ドキュメントの真正の不可視の印を設けた構造的機構の実施例は、限定なしに、基板１０７に取り付けられ、または基板１０７に埋め込まれた磁気インクまたは機械可読機構（例えば、無線周波数識別（「ＲＦＩＤ」））アンテナを含む。
【００１３】
真正の可視の印を設けた構造的機構の実施例は、透かし、印刷効果、特殊インク、及び基板１０７内に形成され、基板１０７に塗布され、または基板１０７に埋め込まれたセキュリティ素子を含む。この例示的な実施例では、真正の可視の印を設けたセキュリティドキュメント１０５の構造的機構は、透かし１０９を含み、透かし１０９は、いくつかの実施形態では、基板１０７の紙の製造の間にパターン化されたダンディロールの使用を通じて形成される。真正の視覚的な印を設けたセキュリティドキュメント１０５の構造的機構の更なる実施例は、凹版模様１１１を含み、凹版模様１１１は、パターンの高精細解像度及び凹版印刷技術の使用に起因して、再現が困難なラインのパターンを含み、特有の表面テクスチャを有する、特徴的なモアレ干渉効果を生じさせる。この例示的な実施例では、ドキュメントの真正の視覚的な印を設けたセキュリティドキュメント１０５の構造的機構は、インクに衝突する光の入射の角度における変化に応答してその外観が変化する、光学可変インクまたは色シフトインクなど、特殊な、入手困難なインクにより印刷された領域１１３を含む。セキュリティドキュメント１０５の真正の可視の印を設けた構造的機構はまた、セキュリティ素子１１５を含むことができる。いくつかの実施形態では、セキュリティ素子１１５は、マイクロスケールまたはナノスケールの光学構造、例えば、集合的に特有の光学効果を生じさせる、レンズ、アイコン構造、または回折格子の１つ以上のアレイを支持する薄型材料（例えば、ポリマ基板の狭リボン）を含む。そのような光学効果の実施例は、限定なしに、モアレ拡大効果（「合成的に拡大された画像」または「合成画像」と称されることがある）、インテグラルイメージング効果、色シフト、またはホログラムなどの光学的可変効果を含む。
【００１４】
撮像技術及び印刷技術における改善と共に、犯罪知謀は、基板１０７上に設けられたセキュリティドキュメントの真正の可視の印を設ける上記説明された構造的機構の多くのサービス可能な模写をもたらす紙製基板の周りに構築された偽造セキュリティドキュメントを製造する能力及び材料を悪意のある人物に提供してきた。セキュリティ素子１１５内の光学構造のとても小さなスケール、及びセキュリティ素子１１５の製造に伴う特定のツール、材料、及び技術に対する組織的制御を仮定して、ほとんどの悪意のある人物は、セキュリティ素子１１５を複製する手段または技術的ノウハウを現在は有さない。
【００１５】
次善策がセキュリティ素子１１５を再現することが可能でないように、偽造セキュリティドキュメントを製造することを求める悪意のある人物は、取り込まれたセキュリティ素子の部品を１つ以上の偽造セキュリティドキュメントに組み込むことを目的に、真正ドキュメントからセキュリティ素子を「取り込む」。図１の説明的な実施例を参照して、セキュリティ素子１１５は、セキュリティドキュメント１００の幅にわたるマイクロ光学スレッドである。図に示されるように、セキュリティ素子１１５は、セキュリティ素子１１５の部分が基板内のウインドウ１１７を通じて視認可能であり、セキュリティ素子の他の部分がブリッジ１１９によって隠蔽されるように、基板１０７に埋め込まれる。
【００１６】
図１の説明的な実施例を参照して、悪意のある人物は、特定のケースでは、セキュリティ素子１１５と基板１０７との間の接着剤を剥がし、または基板１０７を破壊するよう、溶剤（例えば、水または漂白剤）にセキュリティドキュメント１００を長期にわたって浸すことを通じて実質的に完全なままのセキュリティ素子１１５を取り除くことができる。実質的に完全なまま取り除かれると、セキュリティ素子１１５は、慎重に断片に切断され（１３０）、断片は、セキュリティドキュメント１０５の完全な複製ではないが、多くのユーザによって真正ドキュメントに対して容易に循環され、及び誤ることになる真正の十分な視覚的な印を運ぶ、大多数の偽造ドキュメントを、初期の数の真正セキュリティドキュメントから製造するよう、複数の偽造基板１４０ａ及び１４０ｂの表面に添付され、または代わりに埋め込まれたキャリアスレッドの表面に添付されることがある。
【００１７】
図１の説明的な実施例において議論されないが、セキュリティ素子１１５を実質的に完全なまま取り込むことによって、偽造セキュリティドキュメントを製造する他の方法が有効にされることがある。例えば、取り込まれると、セキュリティ素子１１５は、セキュリティドキュメント１０５よりも高額の偽造銀行券を製造するようアップサイクルされる場合がある。代わりに、セキュリティドキュメントが識別ドキュメントであり、またはそうでなければセキュリティドキュメントが権限を有する人物と関連付けられるケースでは、セキュリティ素子１１５を実質的に完全なまま取り込むことは、権限のない人物と関連付けられた偽造セキュリティドキュメントの製造を促進することがある（例えば、偽造パスポートを製造するために）。
【００１８】
図１の説明的な実施例によって示されるように、取り込むことの背後にある有効な仮説は、最小でも、光学セキュリティ素子が基板から分離可能であるという仮説、及びセキュリティドキュメントの真正の視覚的な印を設けた基板の構造的機構を悪意のある人物によって使える状態に再現することができるという仮説を含む。本明細書で議論されるように、適用するのに適切な柔軟性及び伸張強度を示す材料の区域を含むのと同時に、光学的可変効果などの光学効果を再現することの困難性をもたらす、セキュア基板の周りで構造化されたセキュリティドキュメントを提供することによって、本開示に従った特定の実施形態は、それらの有効な仮説を覆す。そのようにして、本開示に従った特定の実施形態は、最小でも、真正ドキュメントから犯罪的に使える品質の偽造基板に取り込まれた構成要素を適用することによって、悪意のある人物の偽造ドキュメントを製造する機会を拒絶する技術的及び実用的な利点をもたらす。
【００１９】
図２は、本開示の様々な実施形態に従った、セキュア基板を組み込んだセキュリティドキュメント２００の要素を分解図において示す。図２は、本開示の様々な実施形態に従った、セキュリティドキュメントの実施例として銀行券を示すが、本開示に従った実施形態は、そのように限定されない。本開示に従ったセキュリティドキュメントの実施例は、限定なしに、識別ドキュメント（例えば、運転免許証）、標的（例えば、ハンドバッグもしくは時計）を偽造している製品上の認証ラベル、または金融ドキュメント（例えば、送金小切手もしくは他の流通証券）を含む。この例示的な実施例では、図における２０５、２１５、２２５、２３５、２４５、及び２５５と番号付けされた構成要素は、上から見られるとき、セキュリティドキュメント２００の外観の態様を制御する（図２では、表面要素２５５）。
【００２０】
図２の非限定的な実施例を参照して、セキュリティドキュメント２００は、セキュア基板２０５（例えば、図３でのセキュア基板３００）を含み、セキュア基板２０５は、認証マイクロ構造に基づく光学効果をもたらすのと同時に、セキュリティドキュメント２００に対する構造的アンカとしての役割を果たすのに適切に柔軟であり、耐久性があり、強力である。特定の実施形態に従って、セキュア基板２０５は、セキュリティドキュメント２００の真正の視覚的な印としての役割を果たす、光学効果を生じさせるマイクロ構造を含む材料のシートを含む。いくつかの実施形態では、マイクロ構造は、アイコンマイクロ構造のモアレ拡大効果（「合成画像」もしくは「合成的に拡大された画像」とも称されることがある）、運動効果（合成画像が視認角度における変化に対して「動いている」ように見え、もしくは外観を変化させるように見える）、または色シフト効果など、光学的可変効果（ＯＶＥ）を生じさせる。図２の例示的な実施例に示されるように、特定の実施形態では、光学効果を生じさせるマイクロ構造は、マイクロスケール集束素子（例えば、集束素子２０７）を含む。実施形態に応じて、集束素子２０７は、屈折集束素子（例えば、平凸外形、凹面外形、または平坦外形を有するマイクロレンズ（屈折率分布型（「ＧＲＩＮ」）レンズなど））である。いくつかの実施形態では、集束素子２０７は、反射集束素子（例えば、マイクロスケール凹面ミラー）である。いくつかの実施形態では、セキュア基板２０５上のマイクロ構造は、回折に基づく効果（例えば、セキュア基板２０５内の回折格子によって生じる色効果）を生じさせる回折マイクロ構造である。
【００２１】
いくつかの実施形態では、セキュア基板２０５は、視認側２０９（図２では可視）、及び視認側２０９とは反対である背面側２１１（図２では不可視）を含む。
【００２２】
図２の例示的な実施例に示されるように、セキュリティドキュメント２００は、セキュア基板２０５の保護層２２５と背面側２１１との間に配置されたマスク層２１５を含む。様々な実施形態に従って、マスク層２１５は、保護層２２５の下面２２７に面したビューポイントから印刷層２３５、セキュア基板２０５、及び触知層２５５のいくつかまたは全てのビューを遮断する、材料のシート、または塗布された被膜を含む。特定の実施形態では、マスク層２１５は、被膜、またはセキュア基板２０５によって生じる光学効果の視認性を高めるよう選択された色を有する不透明フィルムなど、不透明材料の層を含む。いくつかの実施形態では、マスク層２１５は、他の機構とのコントラストで選択された色（例えば、印刷層２３５内で使用される色）を有する。セキュア基板２０５がモアレ拡大効果を生じさせる実施形態では、光色（例えば、白）は、不透明マスク層２１５に対して特に適切である場合がある。特定の実施形態では、マスク層２１５は、金属被膜または塗布されたホイルなどの反射材料の層を含む。
【００２３】
特定の実施形態では、マスク層２１５は、ウインドウ２１７を含み、ウインドウ２１７を通じて、保護層２２５の下面２２７を通ってセキュリティドキュメント２００に入射する光は、セキュア基板２０５を通過することができる。様々な実施形態では、パッチ２４５は、ウインドウ２１７内に設けられる。様々な実施形態に従って、パッチ２４５は、材料の区域（例えば、紙幣用紙などの繊維材料、ポリマ材料、または金属材料）を含み、材料の区域は、セキュリティドキュメント２００の真正の更なる光学印を設け、セキュリティドキュメント２００の片側または両側から視認可能である。図２の例示的な実施例に示されるように、パッチ２４５によって設けられた真正の更なる光学印は、いくつかの実施形態では、透かし２４７である。いくつかの実施形態では、パッチ２４５によって設けられた真正の更なる光学印は、染模様（例えば、オフセットもしくは凹版染模様）または別の光学セキュリティ素子（例えば、ホログラム）である。このようにして、ウインドウ２１７及びパッチ２４５は、光学セキュリティ素子が基板とは別個の構成要素であったレガシセキュリティドキュメントから、セキュア基板２０５の周りで構造化された、本開示に従ったセキュリティドキュメントへの、広く認識されたセキュリティ機構の組み込みを促進する。実用的な実施例として、正確に形成された透かしの存在についてチェックすることによって銀行券を何十年も認証してきたユーザは、セキュリティドキュメント２００を同様に認証することができる。
【００２４】
特に、レガシドキュメントの処理機（例えば、自動販売機内の貨幣読取機）との互換性、または旧型のセキュリティドキュメントに精通しているユーザによる適合がゲーティング問題でないいくつかの用途では、ドキュメントの視覚的情報の全てが光学効果として提供されるようにセキュリティドキュメント２００を構造化することが有利となる場合がある。しかしながら、いくつかの用途では、セキュリティドキュメント２００によって提供される視覚的情報の一部が静的な（視認角度または照明条件に関して外観において変化しない）機構として提供されることが適切である。静的機構として提供されることが有利となる場合がある視覚的情報の実施例は、限定なしに、レガシセキュリティ機構から搬送される印刷機構（既存のドキュメント処理システムとの後方互換性を促進するための）、及び額面金額、アドレス、またはシリアル番号などの必須の情報を提供する英数字テキスト（この情報の機械可読性を促進し、人間の読み手に対する目の疲労を減少させるための）を含む。
【００２５】
図２の非限定的な実施例を参照して、セキュア基板２０５は、総透明度を示す１つ以上の領域を含む。本開示において使用されるように、用語「総透明度」は、視認側２０９を通じて視認可能であるようセキュア基板の背面側２１１上または下に設けられたマクロレベル（すなわち、人間の目に視認可能なスケールでの状態にされた）静的機構の特性を包含する。本開示に従った特定の実施形態、例えば、セキュア基板２０５がアイコン層内でマイクロスケールのアイコン機構のモアレ拡大効果をもたらすために屈折集束素子の層を使用する特定の実施形態では、非常に小さいスケールのアイコン及びレンズ機構は、セキュア基板２０５の全体を大幅に透明にする。
【００２６】
いくつかの実施形態に従って、セキュア基板２０５の大幅に透明な領域を通じて見ることができる静的機構は、セキュア基板２０５の背面側２１１に塗布された印刷層２３５内に設けられる。本開示に従ったいくつかの実施形態では、静的機構（例えば、幾何学形状パターン２３７及びフラグ２３９）は、限定なしに、オフセット印刷、フレキソ印刷、凹版、グラビア、またはインクジェット印刷を含む、セキュリティドキュメントを製造するのに適切な１つ以上の印刷技術を使用して印刷される。いくつかの実施形態では、印刷層２３５の機構は、セキュア基板２０５、ウインドウ２１７、パッチ２４５、または触知層２５５によってもたらされる光学効果のうちの１つ以上により記録されるように塗布される。いくつかの実施形態では、印刷層２３５は、セキュア基板２０５の背面側に塗布され、マスク層２１５は、その後塗布される。いくつかの実施形態では、印刷層２３５及びマスク層２１５は、単一の集積層を含む。
【００２７】
図２の非限定的な実施例を参照して、いくつかの実施形態では、セキュリティドキュメント２００は、セキュア基板２０５の視認側２０９に塗布され、セキュリティドキュメント２００を扱うユーザによって触れることができる機構を含む触知層２５５を含む。いくつかの実施形態に従って、触知層２５５は、セキュア基板２０５の視認側２０９を覆う透明密閉層を含む。例えば、セキュア基板２０５の視認側２０９が実質的に平面でない表面（例えば、平凸マイクロレンズによる凹凸な表面）を有する実施形態などのいくつかの実施形態では、密閉層は、汚染物質が蓄積することがあり、光学効果をもたらすセキュア基板２０５の能力を減少させることがある、レンズの間の隙間を埋めることによって、セキュリティドキュメントの全体性能を改善することができる。触知層２５５が透明密閉層を含むいくつかの実施形態では、触知機構（例えば、テキスト２５７及び通貨単位２５９）は、密閉層の表面上に材料を印刷することによって設けられてもよい（例えば、特徴的な表面テクスチャを生じさせる凹版印刷を使用して）。触知層２５５が透明密閉層を含む様々な実施形態では、触知機構は、密閉層の厚みにおける変動を生じさせることによって設けられてもよい（例えば、エンボス加工することによって）。触知層２５５が透明密閉層を含まない特定の実施形態では、触知機構は、セキュア基板２０５の視認側２０９上に直接材料を印刷することによって生成される。様々な実施形態に従って、触知層２５５の触知機構（例えば、機構２５７及び２５９）は、セキュア基板２０５、印刷層２３５の機構、ウインドウ２１７、またはパッチ２４５によってもたらされる光学効果のうちの１つ以上により記録されるように形成される。
【００２８】
図２の例示的な実施例に示されるように、セキュリティドキュメント２００は、保護層２２５を含む。様々な実施形態に従って、保護層２２５は、セキュリティドキュメントの薄型（例えば、マスク層２１５として使用される反射ホイル）、または繊細（例えば、パッチ２４５）構造を摩耗及び破壊的な汚染物質への露出から保護する単層または多層構造を含む。いくつかの実施形態では、保護層２２５は、マスク層２１５に付着された材料のシート（例えば、薄型ポリマフィルムまたは紙などの繊維材料）を含む。本開示に従った様々な実施形態では、保護層２２５は、適切に耐久性がある材料（例えば、図３における密閉層３４０を生成するのに適切な光硬化可能レジン）の塗布された被膜を含む。いくつかの実施形態では、保護層２２５は、マスク層２１５と一体である（例えば、同一の材料の単層）。特定の実施形態に従って、保護層２２５は、第２のセキュア基板の周りに構造化された多層構造を含む（例えば、本開示の図４Ｈ及び５に示されるような）。
【００２９】
図３は、本開示の様々な実施形態に従った、セキュア基板３００の実施例の構造的態様を示す。参照のために、図３は、セキュア基板の視認側３０１が図の最上部の近くに表れ、背面の表面３０３が図の底部に表れるように配向される。
【００３０】
図３の非限定的な実施例を参照して、特定の実施形態では、セキュア基板３００は、複数の集束素子３０５（例えば、集束素子３０７を含む）、及び画像アイコン（例えば、画像アイコン３２０を含む）の配列３２１を含む。様々な実施形態に従って、複数の集束素子３０５の各々の集束素子は、フットプリントを有し、フットプリントでは、画像アイコンの配列３２１の１つ以上の画像アイコンは、特定の視認角度において、集束素子が画像アイコンに集束するように、集束素子の焦点に近接して位置付けられる。集合的に、複数の要素３０５の集束素子は、モアレ拡大効果（「合成的に拡大された画像」またはより簡潔に、「合成画像」とも称される）を生じさせるよう、画像アイコンの配列３２１の部分を拡大し、個々のマイクロスコピック画像アイコンは、視認角度におけるシフトに応答して動的に反応する（例えば、動いているように見え、または色を変化させるように見えることによって）画像を生成するよう、複数の集束素子３０５によって集合的に拡大される。いくつかの実施形態では、上記説明されたモアレ拡大効果と共に、複数の集束素子３０５は、集積画像を生成するよう、画像アイコンの配列３２１により動作してもよい。本開示において使用されるように、用語「集積画像」は、画像アイコンの配列３２１の構成、またはその一部を定義するために使用される、画像層を生成するようビューポイント画像のセットを処理することに基づいて、マイクロ光学システムによって生じる視覚効果を包含する。「Ｓｅｃｕｒｉｔｙ  Ｄｅｖｉｃｅ  Ｆｏｒ  Ｐｒｏｊｅｃｔｉｎｇ  ａ  Ｃｏｌｌｅｃｔｉｏｎ  ｏｆ  Ｓｙｎｔｈｅｔｉｃ  Ｉｍａｇｅｓ」と題する国際公開第ＷＯ２０１３／１６３２８７号は、本開示の特定の実施形態に従った、集積画像の非限定的な実施例を提供する。不可能でない場合、多くの悪意のある人物が再現することが困難であるが、上記説明されたモアレ拡大効果は、多くのケースでは、セキュア基板３００の周りで構造化されたセキュリティドキュメントの真正の信頼できる視覚的な印である。
【００３１】
特定の実施形態に従って、複数の集束素子３０５は、マイクロ光学集束素子の平面アレイを含む。いくつかの実施形態では、複数の集束素子３０５の集束素子は、マイクロ光学屈折集束素子（例えば、平凸またはＧＲＩＮレンズ）を含む。複数の集束素子３０５の屈折集束素子は、いくつかの実施形態では、１．３５〜１．７の範囲に及ぶ屈折率を有する光硬化済みレジンから生成され、５マイクロメートル〜２００マイクロメートルの範囲に及ぶ直径を有する。様々な実施形態では、複数の集束素子３０５の集束素子は、５マイクロメートル〜５０マイクロメートルの範囲に及ぶ直径を有する、反射集束素子（例えば、非常に小さい凹面ミラー）を含む。この例示的な実施例では、複数の集束素子３０５の集束素子が環状平凸レンズを含むとして示されるが、他の屈折レンズの幾何学形状、例えば、レンチキュラレンズが可能であり、本開示の考慮される範囲内にある。
【００３２】
図３の例示的な実施例に示されるように、画像アイコン３２０の配列は、複数の集束素子３０５の集束素子の焦点に近接した予め定められた位置に位置付けられた、画像アイコン（画像アイコン３２１を含む）のセットを含む。様々な実施形態に従って、画像アイコン３２０の配列の個々の画像アイコンは、構造化された光（例えば、コリメートされたＵＶ光）の焦点経路と関連付けられた光硬化済み材料の領域を含み、光は、視認角度の１つ以上の予め定められた範囲と関連付けられた投影ポイントから複数の集束素子３０５を通過する。いくつかの実施形態では、画像アイコン３２０の配列の個々の画像アイコンは、大量の有色素材料を維持するための構造を含む、構造化された画像アイコン層内に設けられる。いくつかの実施形態では、画像アイコン３２０の配列の個々の画像アイコンは、構造化された画像アイコン層内に設けられない。本開示において使用されるように、用語「構造化された画像層」は、画像アイコン材料を位置付け及び維持するための構造（例えば、凹部、ポスト、溝、またはメサ）を含むようエンボス加工され、またはそうでなければ形成された材料（例えば、光硬化可能レジン）の層を包含する。様々な実施形態に従って、画像アイコンの配列３２１の個々の画像アイコンは、構造化された画像層内に設けられ、構造化された画像層は、マイクロスケール及びナノスケールの容量の色付け材料を保持する構造を維持するものとして機能する、空洞、メサ、またはポストのうちの１つ以上を含む。いくつかの実施形態では、画像アイコン層３２１の画像アイコンは、集束素子の焦点が画像アイコンの上に位置する視認角度を制御し、及び拡張によって、特定の光学効果が視認可能である視認角度を制御するよう、複数の集束素子３０５を通じて光硬化可能材料を指向的に硬化することによって形成される。
【００３３】
図３の例示的な実施例に示されるように、特定の実施形態では、セキュア基板３００は、光学スペーサ３１０を含む。様々な実施形態に従って、光学スペーサ３１０は、複数の集束素子３０５の集束素子の焦点面内または焦点面の周りに画像アイコン３２０の配列の画像アイコンを位置付けるよう動作する、実質的に透明材料のフィルムを含む。本開示に従った特定の実施形態では、光学スペーサ３１０は、画像アイコン３２０の配列または複数の集束素子３０５のうちの１つ以上を形成するよう、硬化可能材料の１つ以上の層を塗布することができる製造基板を含む。本開示に従った特定の実施形態では、光学スペーサ３１０は、複数の集束素子３０５とは別個の構造を含まず、むしろ、複数の集束素子３０５に集積して形成される（例えば、成型することによって）。
【００３４】
様々な実施形態に従って、セキュア基板３００は、画像アイコン３２０の配列の画像アイコンの間の空間を占有する、光硬化済み保護材料３３０の１つ以上の領域を含む。いくつかの実施形態では、画像アイコン３２０の配列が最初に形成され（例えば、光学スペーサ３１０上で液体光硬化可能材料を選択的に硬化及び除去することによって）、次いで、画像アイコン３２０の配列の画像アイコンの間の空間を埋めるよう、透き通った、光硬化可能材料の層が塗布され、次いで、画像アイコンが複数の集束素子３０５の集束素子のフットプリント内のそれらの位置から移動することを保護する保護層を生成するようフラッド硬化される。特定の実施形態では、画像アイコン３２０の配列を形成するために使用される光硬化可能材料は、有色素の、紫外線（ＵＶ）−硬化可能ポリマである。
【００３５】
本開示に従った特定の実施形態では、セキュア基板３００は、セキュア基板３００の視認側３０１上で密閉層３４０を含む。特定の実施形態に従って、密閉層３４０は、複数の集束素子３０５の集束素子を有する下側表面上で接合する実質的に透き通った材料の薄い部分（例えば、２マイクロメートル〜５０マイクロメートルの厚みの層）を含み、複数の集束素子３０５よりも屈曲において変動が少ない（例えば、平坦にすることによって、またはその局所的な起伏が集束素子よりも大きな屈曲の半径の起伏である表面を有することによって）上側表面を含む。
【００３６】
図３は、様々な実施形態に従った、セキュア基板３００の１つの実施例を提供するが、本開示は、そのように限定されない。例えば、図３では、画像アイコンの配列３２１が複数の集束素子３０５とは構造的に明白に異なるものとして示されるが、いくつかの実施形態では、集束素子及び画像アイコンは、単層内に設けることができる。例えば、いくつかの実施形態では、画像アイコンは、凸面レンズ（「Ｇｒｅｇｉｓｏｎ」レンズと称されることがある）のアレイの表面上の選択的に位置づけられたレリーフ構造または「ディンプル」として設けることができる。更なる実施例として、反射集束素子を組み込んだ実施形態では、画像アイコンは、集束素子の反射表面の間の「層」内の色の領域として設けられてもよい。そのような実施形態では、画像アイコン及び集束素子は、図３の実施例とは対照的に、光学スペーサの単一側面上に設けられてもよく、画像アイコン３２０及び集束素子３０７は、光学スペーサ３１０の異なる側面を占有する。
【００３７】
図４Ａ〜４Ｈは、本開示の様々な実施形態に従った、セキュア基板を使用して構造化されたセキュリティドキュメントの実施例を示す。図４Ａ〜４Ｈを参照して議論される実施例は、本開示の実施形態に従った１つ以上のセキュア基板の周りで構造化されたセキュリティドキュメントの広範囲の潜在的な構成の例示である。図４Ａ〜４Ｈを参照して説明される実施形態及び構成を上回る更なる実施形態及び構成は、本開示の考慮される範囲内にある。利便性のために、１つよりも多い図に共通した構造的要素が同様に番号付けされる。
【００３８】
図４Ａの非限定的な実施例を参照して、本開示の様々な実施形態に従ったセキュリティドキュメント４００が図に示される。本開示に従ったいくつかの実施形態では、セキュリティドキュメント４００は、視認側４０１及び背面側４０３、保護層４３０、ならびにセキュア基板４０５の背面側４０３と保護層４３０との間に配置されたマスク層４２０を有するセキュア基板４０５（例えば、図３でのセキュア基板３００）を含む。特定の実施形態に従って、セキュア基板４０５は、セキュリティドキュメント４００の真正の光学印である、視認側上で光学効果を生じさせるマイクロスケール光学構造を含む。
【００３９】
特定の実施形態に従って、セキュア基板４０５は、画像アイコンの層４１３の画像アイコン（例えば、画像アイコン４１１）に対して集束素子の層４０９の集束素子（例えば、集束素子４０７）の焦点の入射におけるパターンを通じて、モアレ拡大効果などの光学的可変効果をもたらす。いくつかの実施形態では、セキュア基板４０５は、光学スペーサ４１５を含む。図４Ａの例示的な実施例に示されるように、光学スペーサ４１５は、第１の側面及び第２の側面を有するキャリアフィルムを含む。いくつかの実施形態に従って、集束素子の層４０９が光学スペーサ４１５の第１の側面上に設けられ、画像アイコンの層４１３が光学スペーサ４１５の第２の側面上に設けられる。いくつかの実施形態では、集束素子の層４０９及び画像アイコンの層の両方は、光学スペーサ４１５の同一の側面上に設けられる。様々な実施形態では、光学スペーサ４１５、集束素子の層４０９、及び画像アイコンの層４１３のうちの１つ以上は、共通材料（例えば、光硬化可能ポリマ）の層内に反復して構造化されることによって、相互に一体である。
【００４０】
図４Ａの例示的な実施例では、セキュア基板４０５が光学的可変効果（例えば、モアレ拡大効果）をもたらす光学マイクロ構造を含む実施形態に関してセキュリティドキュメント４００が議論されてきたが、そのマイクロ構造が異なる光学効果（例えば、干渉に基づく効果または回折効果）を生じさせるセキュア基板を含む他の実施形態は、本開示の考慮される範囲内にあり、それは、セキュリティドキュメントの構造的バックボーンが、光学効果を生じさせるマイクロ構造を包含する構成要素をそれとは分離することができる基板である仮説を覆すセキュリティドキュメントの実施形態に関する。
【００４１】
図４Ａの非限定的な実施例を参照して、マスク層４２０は、セキュリティドキュメントの下面からセキュア基板のマスク層と視認側４０１との間に設けられた構造の視認性を制限する、材料の薄層（例えば、塗布された層、塗装、または反射もしくは不透明材料の薄型フィルム）を含む。様々なドキュメントに従って、セキュリティドキュメント４００は更に、保護層４３０を含み、保護層４３０は、実施形態に応じて、セキュア基板４０５のマイクロ構造（例えば、画像アイコン４１１）またはセキュリティドキュメント４００の他のセキュリティ機構及び視覚的情報（例えば、マスク層４３０のウインドウ内に塗布された透かし）を損傷または劣化させる場合がある、物体または溶剤との接触からセキュア基板のマスク層４２０と視認側４０１との間の構造を遮蔽するよう動作する、材料の１つ以上の層であり得る。いくつかの実施形態では、保護層４３０は、ポリマ（例えば、二軸配向ポリプロピレン）または繊維（例えば、紙幣用紙）材料のシートを含む。
【００４２】
本開示において他に述べられたように、セキュア基板自体のマイクロ構造を通じて、全てではないがほとんどの悪意のある人物が再現することが困難である署名光学効果をもたらすのと同時に、セキュリティドキュメントに対する構造的土台をもたらすことの両方である、セキュア基板４０５の周りでセキュリティドキュメントを構造化することは、セキュリティドキュメントに組み込むことができる構造及び機構の広範囲の置換を可能にする。図４Ｂは、本開示の様々な実施形態に従った、セキュリティドキュメントに組み込むことができる、追加の機構（このケースでは、ウインドウ及びパッチ）の実施例を示す。
【００４３】
図４Ｂの非限定的な実施例を参照して、いくつかの実施形態では、ウインドウ４２３がマスク層４２０内に設けられる。本開示に従った特定の実施形態では（例えば、マスク層４２０が塗布された被膜である実施形態）、ウインドウ４２３は、セキュア基板４０５の背面側４０３に被膜を塗布しないことによって形成される。いくつかの実施形態では、ウインドウ４２３が事前形成される（例えば、セキュア基板４０５の背面側４０３に塗布された反射または不透明フィルムの穴として）。特定の実施形態に従って、ウインドウ４２３は、総透明度を示すセキュア基板４０５の領域４２７により記録されるように形成され、総透明度は、裸眼によって見ることができるスケールの静的機構がセキュア基板４０５の視認側４０１を通じて視認可能になることを可能にする。セキュリティドキュメント４００の構造に応じて、ウインドウ４２３は、単独で、セキュリティドキュメント４００の機構であってもよい。例示的な実施例として、保護層４３０が透明である実施形態では、ウインドウ４２３は、光がセキュリティドキュメント４００の全体を通過することを可能にし、それは、単独で、それらの全表面領域にわたって不透明であることが多い、銀行券などの特定のセキュリティドキュメントの非常に特有の機構であり得る。
【００４４】
いくつかの実施形態では、ウインドウ４２３は、真正の追加の光学印を設けた材料のパッチ４２５の包含を促進するよう動作する。特定の実施形態に従って、パッチ４２５によって設けられた真正の光学印は、透かし、染模様（例えば、オフセットもしくは凹版印刷を使用して印刷された模様）、またはホログラム、もしくは散乱に基づく視覚効果（透過光または反射光に応答した色における変化など）をもたらす光学セキュリティ素子など追加の光学セキュリティ素子のうちの少なくとも１つである。
【００４５】
本開示において他に議論されたように、セキュリティドキュメント４００に対する性能要件は、セキュア基板の周りで構造化されることに加えて、光学効果の一部ではなく、セキュリティドキュメント４００によって提供される視覚的情報の一部が静的に提供されることを要求し得る。性能の観点から、セキュリティドキュメントに静的機構を含めることは、機械を取り扱うレガシドキュメントとの後方互換性を保証し、繰り返し見る人（例えば、銀行の窓口係または入国審査担当者）の目の疲労を減少させ、自動処理技術の速度及び精度を促進する（例えば、光学文字認識など、成熟した信頼できる処理技術の使用を可能にすることによって）のに望ましい場合がある。
【００４６】
図４Ｃは、本開示の様々な実施形態に従った、このケースでは、セキュリティドキュメント４００内のウインドウ４２３及びパッチ４２５と共に、静的機構を組み込む実施例を示す。図４Ｃの非限定的な実施例を参照して、いくつかの実施形態では、静的機構は、セキュア基板４０５の背面側４０３に塗布された印刷層４４０を通じて塗布される。実施形態に応じて、セキュア基板４０５の背面側４０３に塗布された材料のフィルムの表面など、印刷層４４０の静的機構が事前形成され得る。様々な実施形態では、印刷層４４０の静的機構は、限定なしに、インクジェット印刷またはフレキソ印刷を含む、いずれかの適切な印刷技術によってセキュア基板の背面側４０３上に印刷され得る。図４Ｃの例示的な実施例では、印刷層４４０がウインドウ４２３の境界において終わるものとして表されるが、本開示に従った実施形態はそのように限定されず、特定の実施形態では、印刷層４４０の機構は、ウインドウ４２３に拡張し、また、ウインドウ４２３内に設けられたパッチ４２５に塗布され得る。
【００４７】
本開示において他に述べられるように、セキュリティドキュメント（例えば、銀行券）の表面の触知的な「感触」は、真正の印（例えば、印刷技術がドキュメントのインクを塗られていない表面の上にインクを塗られたパターンを残す）及びセキュア基板の周りに構造化された銀行券の適応を促進する因子（例えば、長期間のユーザが、より旧型の、より精通したバージョンのドキュメントとどのように同じように感じるかを評価し得る）の両方であり得る。
【００４８】
図４Ｄは、上記説明された触知機構を設けた、本開示の様々な実施形態に従ったセキュリティドキュメント４００の実施例を示す。様々な実施形態に従って、触知層４４５の機構は、セキュア基板４０５の視認側４０１の部分に材料（例えば、光硬化可能ポリマインク）を印刷することによって、セキュア基板４０５の視認側４０１上で形成され得る。特定の実施形態に従って、触知層４４５の機構はまた、銀行券の静的機構（例えば、シリアル番号またはグラフィック模様）を設けることができる。模様パラメータに応じて、及び偽造者を妨げる更なる機構として、セキュリティドキュメント４００の静的機構は、印刷層４４０内に、及び触知層４４５を通じての両方で設けられてもよい。加えて、本開示に従った特定の実施形態では、触知層４４５内に設けられた静的機構は、限定なしに、セキュア基板４０５、ウインドウ４２３、パッチ４２５、または印刷層４４０内に設けられた機構によってもたらされる光学効果を含む、セキュリティドキュメント４００の他の機構により記録されるように塗布され得る。
【００４９】
いくつかのケースでは、特定のセキュリティドキュメントの使用パターン（例えば、早急な摩耗または制限された破棄及び交換のうちの１つ以上につながる、ユーザによって大いに循環または貯蔵される銀行券）は、セキュア基板４０５の摩耗を加速化することがある接触からセキュア基板のマイクロ光学構造（例えば、集束素子の層４０９）を分離し、認証できる光学効果をもたらすセキュア基板４０５の能力を劣化させることがある埃、油、または他の物質があるセキュア基板４０５の表面内で空洞またはくぼみを埋めるために、表面保護の追加の層の塗布に有利に働く。図４Ｅは、表面保護のそのような追加の層を組み込んだ、本開示の様々な実施形態に従ったセキュアドキュメント４００の実施例を示す。
【００５０】
図４Ｅの非限定的な実施例を参照して、セキュア基板４０５は、セキュア基板４０５の視認側４０１に塗布された密閉層４５０を含む。様々な実施形態に従って、密閉層４５０は、セキュア基板４０５の視認側４０１の非平坦部分に一致し、セキュリティドキュメント４００の実質的に平坦な外部表面をもたらす材料の実質的な透明層を含む。
【００５１】
本開示において他に述べられるように、本開示のいくつかの実施形態に従ったセキュリティドキュメントを構築するためのセキュア基板の使用は、広範囲の実施形態が構造的機構の組み合わせ及び再構成を含むことを可能にする。図４Ｆは、本開示の様々な実施形態に従ったセキュリティドキュメントの構造的機構をどのように混合及び合致することができるかの非限定的な実施例を示す。
【００５２】
図４Ｆの非限定的な実施例を参照して、セキュリティドキュメント４００は、セキュア基板４０５の視認側４０１に塗布された密閉層４５０を含む。様々な実施形態に従って、触知層４５５の機構は、密閉層４５０の表面上に直接材料を塗布することによって（例えば、印刷することによって）形成され得る。図４Ｆには示されないが、いくつかの実施形態では、密閉層４５０の追加の前に、機構（例えば、触知層４４５の機構）がセキュア基板４０５の視認側４０１上に印刷され、次いで、触知層４５５の機構がその後塗布される。いくつかの実施形態では、触知層４５５の機構は、セキュリティドキュメントの１つ以上の他の機構により記録されるように塗布され、それはより厳密な製造管理を必要とし、偽造の技術的な課題を増大させる。
【００５３】
本開示において他に述べられるように、本開示の特定の実施形態に従ったセキュリティドキュメント４００を作成するために使用されるセキュア基板アーキテクチャは、単一の構成要素または材料の層として本開示の特定の構成要素を統合して形成する（例えば、いくつかの実施形態では、マスク層４２０、保護層４３０、または印刷層４４０のうちの２つ以上が統合して形成され得る）際の柔軟性を可能にする。図４Ｇは、セキュリティドキュメント４００内のそのような構造的統合の実施例を示す。
【００５４】
図４Ｇの非限定的な実施例を参照して、セキュリティドキュメント４００は、密閉層４５０を含む。この例示的な実施例では、触知層４６０の機構は、密閉層４５０の厚みにおける変動を生じさせることによって（例えば、密閉層４５０の材料をエンボス加工することによって）形成される。いくつかの実施形態では、触知層４６０の機構は、セキュリティドキュメントの他の層内に設けられた機構により記録され、それによって、他の機構に「印刷された」感触を与える。いくつかの実施形態では、触知層４６０の機構は、非視覚的な様式において（例えば、点字テキスト、または視覚的に障害を持ったユーザに知られた他の印として）セキュリティドキュメントの情報を提供するために使用され得る。
【００５５】
いくつかの実施形態では、保護層４３０は、単層構造（例えば、透明フィルムまたは保護ラッカ）を含む。特定の実施形態では、セキュア基板４０５の背面側４０３の下に配置されたセキュリティドキュメント４００のマイクロ構造及び潜在的に繊細な構成要素を機械的に遮蔽することは、多層保護構造を含む保護層４３０によって実行され得る。
【００５６】
図４Ｈは、本開示の様々な実施形態に従った、多層保護層４６５を利用したセキュリティドキュメント４００の実施例を示す。図４Ｈの例示的な実施例を参照して、いくつかの実施形態では、多層保護層４６５は、第２のセキュア基板４６７及び第２の印刷層４６９を含む、セキュリティドキュメントの要素を含む。図４Ｈの非限定的な実施例に示されるように、セキュリティドキュメント４００の特定の構造は、視覚的情報を提供し、またはセキュリティドキュメント４００の単一側面だけではなく両側面上で光学効果を支持するよう機能することができる。例えば、図４Ｈでは、単一のマスク層４２０は、セキュア基板４０５の視認側４０１と共に第２のセキュア基板４６７の視認側４７１へのセキュリティドキュメント４００を光の通過を制御する。同様に、いくつかの実施形態では、ウインドウ４２３及びパッチ４２５は、総透明度を示すセキュア基板４０５及び第２のセキュア基板４６７の領域を通じて視認可能である視覚的情報または光学効果をもたらすよう動作する。
【００５７】
様々な実施形態に従って、セキュリティドキュメント４００は更に、限定なしに、無線周波数識別（ＲＦＩＤ）アンテナ、磁気可読ストリップ、または銀行券機器製造者（ＢＥＭ）デバイスなど、特殊な機器を使用して検出可能な「レベル３」機構として本分野において既知の他のデバイスを含む、１つ以上の機械可読セキュリティ機構を含む。
【００５８】
他に述べられるように、本開示の図４Ａ〜４Ｈを参照して説明される実施例は例示であり、例えば、セキュア基板４０５内のマイクロ光学構造の異なる構成と共に、図４Ａ〜４Ｈの説明的な実施例において説明された構成要素の異なる組み合わせ及び統合を含む、本開示に従った実施形態を限定するものではない。
【００５９】
図５は、本開示の様々な実施形態に従った、セキュア基板のペアの周りに構造化されたセキュリティドキュメント５００の実施例を示す。
【００６０】
例えば、本開示の図４Ｈにおけるセキュリティドキュメント４００と共に議論されたように、特定の実施形態では、第２のセキュア基板は、第１のセキュア基板に対する保護層であり得る。図５の非限定的な実施例では、セキュア基板のペアが相互に保護層としての役割を果たす、そのようなセキュリティドキュメント５００の更なる例示が提供される。特定の実施形態に従って、セキュリティドキュメント５００は、第１のセキュア基板５２０ａ（例えば、図３のセキュア基板３００）、及び第２のセキュア基板５２０ｂ（例えば、図３のセキュア基板３００の第２の例）を含む。本開示に従ったいくつかの実施形態では、第１のセキュア基板５２０ａ内のマイクロ光学構造は、セキュリティドキュメント５００に近接したビューポイントに合成画像を投影する。そのような合成画像の実施例として、図に示される「＋」記号のうねった波は、第１のセキュア基板５２０ａの表面の上または下に「浮く」ように現れ得る。いくつかの実施形態に従って、セキュリティドキュメント５００は、総透明度を示す第１のセキュア基板５２０の部分を通じて視認可能であるパッチ５１２を含む。様々な実施形態では、セキュリティドキュメント５００は更に、凹版状の印刷機構として第１のセキュア基板５２０ａの視認側に塗布された触知層５１４の機構を含む。
【００６１】
本開示の特定の実施形態に従ったセキュリティドキュメントの実施例は、視認側及び背面側を含むセキュア基板、ならびに視認側上で光学的可変効果（ＯＶＥ）をもたらすマイクロ光学システムと、保護層と、セキュア基板の保護層と背面側との間に配置されたマスク層と、を含むセキュリティドキュメントを含む。
【００６２】
本開示の特定の実施形態に従ったセキュリティドキュメントの実施例は、保護層が、第２のセキュア基板を含む、セキュリティドキュメントを含む。
【００６３】
本開示の特定の実施形態に従ったセキュリティドキュメントの実施例は、マスク層が、不透明材料の層を含む、セキュリティドキュメントを含む。
【００６４】
本開示の特定の実施形態に従ったセキュリティドキュメントの実施例は、マスク層が、反射材料の層を含む、セキュリティドキュメントを含む。
【００６５】
本開示の特定の実施形態に従ったセキュリティドキュメントの実施例は、マスク層が、ウインドウを含む、セキュリティドキュメントを含む。
【００６６】
本開示の特定の実施形態に従ったセキュリティドキュメントの実施例は、真正の光学印を含むパッチを含み、パッチは、マスク層のウインドウを通じて視認可能である、セキュリティドキュメントを含む。
【００６７】
本開示の特定の実施形態に従ったセキュリティドキュメントの実施例は、パッチによって設けられた真正の光学印が、透かし、オフセット印刷模様、凹版印刷模様、または光学セキュリティ素子のうちの少なくとも１つを含む、セキュリティドキュメントを含む。
【００６８】
本開示の特定の実施形態に従ったセキュリティドキュメントの実施例は、セキュア基板の視認側上に配置された触知機構を含む、セキュリティドキュメントを含む。
【００６９】
本開示の特定の実施形態に従ったセキュリティドキュメントの実施例は、触知機構が、セキュア基板の視認側上に印刷された材料を含む、セキュリティドキュメントを含む。
【００７０】
本開示の特定の実施形態に従ったセキュリティドキュメントの実施例は、触知機構が、セキュア基板の視認側上で凹版印刷を含む、セキュリティドキュメントを含む。
【００７１】
本開示の特定の実施形態に従ったセキュリティドキュメントの実施例は、セキュア基板が、集束素子の層と、画像アイコンの層と、光学スペーサと、を含み、集束素子の層が、光学スペーサの第１の側面上に配置され、画像アイコンの層が、集束素子の層の集束素子の焦点に近接して配置された画像アイコンを含む、セキュリティドキュメントを含む。
【００７２】
本開示の特定の実施形態に従ったセキュリティドキュメントの実施例は、集束素子の層が、屈折集束素子を含む、セキュリティドキュメントを含む。
【００７３】
本開示の特定の実施形態に従ったセキュリティドキュメントの実施例は、集束素子の層が、反射集束素子を含む、セキュリティドキュメントを含む。
【００７４】
本開示の特定の実施形態に従ったセキュリティドキュメントの実施例は、画像アイコンの層が、光学スペーサの第２の側面上に配置される、セキュリティドキュメントを含む。
【００７５】
本開示の特定の実施形態に従ったセキュリティドキュメントの実施例は、光学スペーサが、集束素子の層と一体である、セキュリティドキュメントを含む。
【００７６】
本開示の特定の実施形態に従ったセキュリティドキュメントの実施例は、画像アイコンの層が、集束素子の層と一体である、セキュリティドキュメントを含む。
【００７７】
本開示の特定の実施形態に従ったセキュリティドキュメントの実施例は、画像アイコンの層の画像アイコンが、集束素子の層の集束素子内のレリーフ構造として設けられる、セキュリティドキュメントを含む。
【００７８】
本開示の特定の実施形態に従ったセキュリティドキュメントの実施例は、セキュア基板の視認側上に配置された密閉層を含む、セキュリティドキュメントを含む。
【００７９】
本開示の特定の実施形態に従ったセキュリティドキュメントの実施例は、セキュア基板の視認側上に配置された密閉層を含む、セキュリティドキュメントを含む。
【００８０】
本開示の特定の実施形態に従ったセキュリティドキュメントの実施例は、密閉層の厚みにおける変動として設けられた触知機構を含む、セキュリティドキュメントを含む。
【００８１】
本開示の特定の実施形態に従ったセキュリティドキュメントの実施例は、光学スペーサが、透明ポリマのシートを含む、セキュリティドキュメントを含む。
【００８２】
本開示の特定の実施形態に従ったセキュリティドキュメントの実施例は、透明ポリマが、ポリエチレンテレフタレート（ＰＥＴ）、二軸配向ポリプロピレン、ポリカーボネート、ポリエステル、ポリプロピレン、またはポリ塩化ビニル（ＰＶＣ）のうちの少なくとも１つを含む、セキュリティドキュメントを含む。
【００８３】
本開示の特定の実施形態に従ったセキュリティドキュメントの実施例は、ＯＶＥが、モアレ拡大効果を含む、セキュリティドキュメントを含む。
【００８４】
本開示の特定の実施形態に従ったセキュリティドキュメントの実施例は、セキュア基板が、総透明度を示す領域を含み、総透明度が、セキュア基板の背面側の上または下に配置された静的機構が、セキュア基板の視認側を通じて視認可能であることを可能にする、セキュリティドキュメントを含む。
【００８５】
本開示の特定の実施形態に従ったセキュリティドキュメントの実施例は、セキュア基板の背面側上に印刷された静的機構を含む、セキュリティドキュメントを含む。
【００８６】
本開示の特定の実施形態に従ったセキュリティドキュメントの実施例は、マスク層内で色における変動として設けられた静的機構を含む、セキュリティドキュメントを含む。
【００８７】
本開示の特定の実施形態に従ったセキュリティドキュメントの実施例は、マスク層及び保護層が、セキュア基板の背面側に結合された材料の単層として設けられる、セキュリティドキュメントを含む。
【００８８】
本開示の特定の実施形態に従ったセキュリティドキュメントの実施例は、機械可読セキュリティ機構を含む、セキュリティドキュメントを含む。
【００８９】
本開示の特定の実施形態に従ったセキュリティドキュメントの実施例は、触知機構を含み、触知機構が、マスク層内のウインドウ、パッチ、印刷層の機構、またはＯＶＥのうちの１つ以上により記録されている、セキュリティドキュメントを含む。
【００９０】
本開示が特定の実施形態及び全体的に関連する方法を説明してきたが、それらの実施形態及び方法の代替及び置換が当業者には明らかである。したがって、実施例の実施形態の上記説明は、本開示を定義するものではなく、または制約するものではない。以下の特許請求の範囲によって定義されるように、本開示の精神及び範囲から逸脱することなく、他の変更、代用、及び変形も可能である。
【図１】
2022500688.tif 000003
【図２】
2022500688.tif 000004
【図３】
2022500688.tif 000005
【図４Ａ】
2022500688.tif 000006
【図４Ｂ】
2022500688.tif 000007
【図４Ｃ】
2022500688.tif 000008
【図４Ｄ】
2022500688.tif 000009
【図４Ｅ】
2022500688.tif 000010
【図４Ｆ】
2022500688.tif 000011
【図４Ｇ】
2022500688.tif 000012
【図４Ｈ】
2022500688.tif 000013
【図５】
2022500688.tif 000014
【国際調査報告】
2022500688.tif 000015
2022500688.tif 000016